(57)【要約】【課題】有価媒体の補充処理において、補充可能な種類ではない有価媒体がカセット装着部の収納カセットから繰り出されたときに補充処理を途中で終了させることにより効率良く補充処理を行うことができる有価媒体処理装置、有価媒体処理システムおよび有価媒体処理方法を提供する。【解決手段】有価媒体処理装置１０の制御部５０は、カセット装着部２２に装着された収納カセット３０から収納部（例えば、各カセット装着部２４、２６に装着されている収納カセット３０）に有価媒体を補充する補充処理において、カセット装着部２２に装着された収納カセット３０から繰り出され判別部（例えば、識別部１６）により判別された有価媒体の種類が、記憶部５４に記憶されている補充可能な有価媒体の種類ではない場合に、補充処理を途中で終了させるよう搬送部１４の制御を行う。【選択図】図１
2019003559.tif 000002
【特許請求の範囲】
【請求項１】
有価媒体を収納する収納カセットが着脱可能に装着され、前記収納カセットが装着されたときに当該収納カセットに収納されている有価媒体が繰出可能となるカセット装着部と、
前記カセット装着部に装着された前記収納カセットから繰り出された有価媒体を搬送する搬送部と、
前記搬送部に設けられ、当該搬送部により搬送される有価媒体の種類を判別する判別部と、
前記搬送部から送られた有価媒体が収納される収納部と、
補充可能な有価媒体の種類を記憶する記憶部と、
前記カセット装着部に装着された前記収納カセットから前記収納部に有価媒体を補充する補充処理において、前記カセット装着部に装着された前記収納カセットから繰り出され前記判別部により判別された有価媒体の種類が、前記記憶部に記憶されている補充可能な有価媒体の種類ではない場合に、前記補充処理を途中で終了させるよう前記搬送部の制御を行う制御部と、
を備えた、有価媒体処理装置。
【請求項２】
前記制御部は、前記補充処理において、前記カセット装着部に装着された前記収納カセットから繰り出され前記判別部により判別された有価媒体の種類が、前記記憶部に記憶されている補充可能な有価媒体の種類ではない場合に、当該有価媒体を前記カセット装着部に装着された前記収納カセットに戻すよう前記搬送部の制御を行う、請求項１記載の有価媒体処理装置。
【請求項３】
前記制御部は、前記補充処理において、前記カセット装着部に装着されている前記収納カセットから前記搬送部に繰り出された有価媒体が前記収納カセットに戻されなかったときには、前記補充処理が完了した後に、前記カセット装着部に装着されている前記収納カセットを、前記搬送部から送られた有価媒体を収納するとともに収納されている有価媒体を前記搬送部に繰出可能な収納繰出部として機能させる、請求項２記載の有価媒体処理装置。
【請求項４】
前記カセット装着部に装着された前記収納カセットから繰り出され前記判別部により判別された有価媒体の種類が、前記記憶部に記憶されている補充可能な有価媒体の種類ではない場合に、当該有価媒体の搬送先を前記カセット装着部に装着された前記収納カセットから別の箇所に切り替えるための切替手段を更に備え、
前記制御部は、前記切替手段により有価媒体の搬送先が前記カセット装着部に装着された前記収納カセットから別の箇所に切り替えられたときには、前記補充処理において、前記カセット装着部に装着された前記収納カセットから繰り出され前記判別部により判別された有価媒体の種類が、前記記憶部に記憶されている補充可能な有価媒体の種類ではない場合に、当該有価媒体を前記切替手段により切り替えられた搬送先に送るよう前記搬送部の制御を行う、請求項２または３記載の有価媒体処理装置。
【請求項５】
前記制御部は、前記補充処理において、前記カセット装着部に装着された前記収納カセットから繰り出され前記判別部により判別された有価媒体の種類が、前記記憶部に記憶されている補充可能な有価媒体の種類ではない場合に、前記収納部に補充された有価媒体を前記カセット装着部に装着された前記収納カセットに戻すよう前記搬送部の制御を行う、請求項１乃至４のいずれか一項に記載の有価媒体処理装置。
【請求項６】
前記制御部は、前記補充処理が途中で終了した後に、前記収納部に収納されている有価媒体を前記カセット装着部に装着された前記収納カセットに送るよう前記搬送部の制御を行う、請求項１乃至５のいずれか一項に記載の有価媒体処理装置。
【請求項７】
前記収納部に収納される有価媒体の種類が予め割り当てられており、
前記記憶部に記憶されている補充可能な有価媒体の種類は、当該収納部に予め割り当てられている有価媒体の種類である、請求項１乃至６のいずれか一項に記載の有価媒体処理装置。
【請求項８】
前記収納部に収納される有価媒体の種類として貨幣の金種が予め割り当てられており、
前記記憶部に記憶されている補充可能な有価媒体の種類は、当該収納部に予め割り当てられている貨幣の金種である、請求項７記載の有価媒体処理装置。
【請求項９】
操作者に対して報知を行うための報知部を更に備え、
前記制御部は、前記補充処理が途中で終了したときには所定の情報の報知を行うよう前記報知部を制御する、請求項１乃至８のいずれか一項に記載の有価媒体処理装置。
【請求項１０】
有価媒体を収納する収納カセットが着脱可能に装着され、前記収納カセットが装着されたときに当該収納カセットに収納されている有価媒体が繰出可能となるカセット装着部、前記カセット装着部に装着された前記収納カセットから繰り出された有価媒体を搬送する搬送部、前記搬送部に設けられ、当該搬送部により搬送される有価媒体の種類を判別する判別部、および前記搬送部から送られた有価媒体が収納される収納部を有する有価媒体処理装置と、
前記有価媒体処理装置とは別に設けられ、当該有価媒体処理装置の管理を行う管理装置と、
を備えた有価媒体処理システムであって、
前記有価媒体処理装置に補充可能な有価媒体の種類を記憶する記憶部と、
前記有価媒体処理装置において前記カセット装着部に装着された前記収納カセットから前記収納部に有価媒体を補充する補充処理において、前記カセット装着部に装着された前記収納カセットから繰り出され前記判別部により判別された有価媒体の種類が、前記記憶部に記憶されている補充可能な有価媒体の種類ではない場合に、前記補充処理を途中で終了させるよう前記有価媒体処理装置の前記搬送部の制御を行う制御部と、
を備えた、有価媒体処理システム。
【請求項１１】
前記記憶部および前記制御部のうち少なくともいずれか一方は前記管理装置に設けられている、請求項１０記載の有価媒体処理システム。
【請求項１２】
補充可能な有価媒体の種類を記憶部に予め記憶させておく工程と、
カセット装着部に装着された収納カセットから有価媒体を繰り出す工程と、
前記収納カセットから繰り出された有価媒体の種類を判別する工程と、
判別された有価媒体の種類が、前記記憶部に記憶されている補充可能な有価媒体の種類である場合に、当該有価媒体を収納部に送ることによって前記収納部に有価媒体を補充する工程と、
判別された有価媒体の種類が、前記記憶部に記憶されている補充可能な有価媒体の種類ではない場合に、補充処理を途中で終了させる工程と、
を備えた、有価媒体処理方法。
【発明の詳細な説明】
【技術分野】
【０００１】
本発明は、貨幣や商品券等の有価媒体の処理を行う有価媒体処理装置、有価媒体処理システムおよび有価媒体処理方法に関する。
【背景技術】
【０００２】
貨幣や商品券等の有価媒体の処理を行う有価媒体処理装置において、有価媒体を収納する収納カセットが着脱可能に装着されるカセット装着部が設けられたものが従来から知られている。このような有価媒体処理装置では、収納カセットを用いて有価媒体の回収処理や補充処理を行うことができるようになっている。具体的には、収納カセットを用いて有価媒体の回収処理を行うときには、空の収納カセットをカセット装着部に取り付ける。このことにより、有価媒体処理装置の各収納部に収納されている有価媒体がカセット装着部に装着されている収納カセットに送られるようになる。そして、有価媒体が収納カセットに収納された後、この収納カセットをカセット装着部から取り外すことにより、有価媒体を収納カセットごと回収することができるようになる。また、収納カセットを用いて有価媒体の補充処理を行うときには、有価媒体処理装置に補充されるべき有価媒体を、当該有価媒体処理装置から取り外された状態にある収納カセットに予め収納しておく。そして、この収納カセットをカセット装着部に装着すると、カセット装着部に装着された収納カセットから有価媒体が繰り出されてこの繰り出された有価媒体は識別部により識別された後に有価媒体処理装置の各収納部に送られるようになる。このようなカセット装着部が設けられた有価媒体処理装置として、例えば特許文献１等に開示されるものがある。
【先行技術文献】
【特許文献】
【０００３】
【特許文献１】特許第５４６９２５６号
【発明の概要】
【発明が解決しようとする課題】
【０００４】
特許文献１に開示される入出金装置では、紙幣の補充処理において、当該入出金装置のスタッカ装着部から取り外された状態にあるスタッカに紙幣を予め収納しておく。そして、このようなスタッカを入出金装置のスタッカ装着部に装着すると、スタッカから紙幣が繰り出されて入出金装置の筐体内で搬送部により搬送され、この紙幣は紙幣鑑別部によりその金種や真偽等の鑑別が行われる。そして、補充対象の金種であると鑑別された紙幣は入出金装置の筐体の内部にある別のスタッカに収納される。このようにして入出金装置への紙幣の補充処理が行われる。一方、紙幣が紙幣鑑別部により鑑別されたときに、補充対象の金種ではないと鑑別された紙幣はリジェクトボックスに送られ、このリジェクトボックスに収納される。
【０００５】
しかしながら、特許文献１に開示される入出金装置では、紙幣の補充処理が一旦開始されると、スタッカ装着部に装着されたスタッカ内の紙幣全てが当該スタッカから繰り出されて他のスタッカやリジェクトボックスに収納されるまでは補充処理が完了しない。このため、例えばスタッカを用いて入出金装置から高額紙幣の回収処理を行った後に、当該入出金装置に低額紙幣を補充するにあたり誤って回収処理で用いたスタッカ（すなわち、高額紙幣が収納されているスタッカ）をスタッカ装着部に装着したときには、このような高額紙幣を入出金装置に補充する必要はないのに紙幣の補充処理が終了しないため時間がかかってしまい、効率が悪いという問題がある。
【０００６】
本発明は、このような点を考慮してなされたものであり、有価媒体の補充処理において、補充可能な種類ではない有価媒体がカセット装着部の収納カセットから繰り出されたときに補充処理を途中で終了させることにより効率良く補充処理を行うことができる有価媒体処理装置、有価媒体処理システムおよび有価媒体処理方法を提供することを目的とする。
【課題を解決するための手段】
【０００７】
本発明の有価媒体処理装置は、有価媒体を収納する収納カセットが着脱可能に装着され、前記収納カセットが装着されたときに当該収納カセットに収納されている有価媒体が繰出可能となるカセット装着部と、前記カセット装着部に装着された前記収納カセットから繰り出された有価媒体を搬送する搬送部と、前記搬送部に設けられ、当該搬送部により搬送される有価媒体の種類を判別する判別部と、前記搬送部から送られた有価媒体が収納される収納部と、補充可能な有価媒体の種類を記憶する記憶部と、前記カセット装着部に装着された前記収納カセットから前記収納部に有価媒体を補充する補充処理において、前記カセット装着部に装着された前記収納カセットから繰り出され前記判別部により判別された有価媒体の種類が、前記記憶部に記憶されている補充可能な有価媒体の種類ではない場合に、前記補充処理を途中で終了させるよう前記搬送部の制御を行う制御部と、を備えたことを特徴とする。
【０００８】
このような有価媒体処理装置によれば、有価媒体の補充処理において、補充可能な種類ではない有価媒体がカセット装着部の収納カセットから繰り出されたときに補充処理を途中で終了させることにより効率良く補充処理を行うことができる。
【０００９】
本発明の有価媒体処理装置においては、前記制御部は、前記補充処理において、前記カセット装着部に装着された前記収納カセットから繰り出され前記判別部により判別された有価媒体の種類が、前記記憶部に記憶されている補充可能な有価媒体の種類ではない場合に、当該有価媒体を前記カセット装着部に装着された前記収納カセットに戻すよう前記搬送部の制御を行うようになっていてもよい。
【００１０】
この場合、前記制御部は、前記補充処理において、前記カセット装着部に装着されている前記収納カセットから前記搬送部に繰り出された有価媒体が前記収納カセットに戻されなかったときには、前記補充処理が完了した後に、前記カセット装着部に装着されている前記収納カセットを、前記搬送部から送られた有価媒体を収納するとともに収納されている有価媒体を前記搬送部に繰出可能な収納繰出部として機能させるようになっていてもよい。
【００１１】
また、本発明の有価媒体処理装置は、前記カセット装着部に装着された前記収納カセットから繰り出され前記判別部により判別された有価媒体の種類が、前記記憶部に記憶されている補充可能な有価媒体の種類ではない場合に、当該有価媒体の搬送先を前記カセット装着部に装着された前記収納カセットから別の箇所に切り替えるための切替手段を更に備え、前記制御部は、前記切替手段により有価媒体の搬送先が前記カセット装着部に装着された前記収納カセットから別の箇所に切り替えられたときには、前記補充処理において、前記カセット装着部に装着された前記収納カセットから繰り出され前記判別部により判別された有価媒体の種類が、前記記憶部に記憶されている補充可能な有価媒体の種類ではない場合に、当該有価媒体を前記切替手段により切り替えられた搬送先に送るよう前記搬送部の制御を行うようになっていてもよい。
【００１２】
本発明の有価媒体処理装置においては、前記制御部は、前記補充処理において、前記カセット装着部に装着された前記収納カセットから繰り出され前記判別部により判別された有価媒体の種類が、前記記憶部に記憶されている補充可能な有価媒体の種類ではない場合に、前記収納部に補充された有価媒体を前記カセット装着部に装着された前記収納カセットに戻すよう前記搬送部の制御を行うようになっていてもよい。
【００１３】
また、前記制御部は、前記補充処理が途中で終了した後に、前記収納部に収納されている有価媒体を前記カセット装着部に装着された前記収納カセットに送るよう前記搬送部の制御を行うようになっていてもよい。
【００１４】
また、前記収納部に収納される有価媒体の種類が予め割り当てられており、前記記憶部に記憶されている補充可能な有価媒体の種類は、当該収納部に予め割り当てられている有価媒体の種類であってもよい。
【００１５】
この場合、前記収納部に収納される有価媒体の種類として貨幣の金種が予め割り当てられており、前記記憶部に記憶されている補充可能な有価媒体の種類は、当該収納部に予め割り当てられている貨幣の金種であってもよい。
【００１６】
本発明の有価媒体処理装置は、操作者に対して報知を行うための報知部を更に備え、前記制御部は、前記補充処理が途中で終了したときには所定の情報の報知を行うよう前記報知部を制御するようになっていてもよい。
【００１７】
本発明の有価媒体処理システムは、有価媒体を収納する収納カセットが着脱可能に装着され、前記収納カセットが装着されたときに当該収納カセットに収納されている有価媒体が繰出可能となるカセット装着部、前記カセット装着部に装着された前記収納カセットから繰り出された有価媒体を搬送する搬送部、前記搬送部に設けられ、当該搬送部により搬送される有価媒体の種類を判別する判別部、および前記搬送部から送られた有価媒体が収納される収納部を有する有価媒体処理装置と、前記有価媒体処理装置とは別に設けられ、当該有価媒体処理装置の管理を行う管理装置と、を備えた有価媒体処理システムであって、前記有価媒体処理装置に補充可能な有価媒体の種類を記憶する記憶部と、前記有価媒体処理装置において前記カセット装着部に装着された前記収納カセットから前記収納部に有価媒体を補充する補充処理において、前記カセット装着部に装着された前記収納カセットから繰り出され前記判別部により判別された有価媒体の種類が、前記記憶部に記憶されている補充可能な有価媒体の種類ではない場合に、前記補充処理を途中で終了させるよう前記有価媒体処理装置の前記搬送部の制御を行う制御部と、を備えたことを特徴とする。
【００１８】
このような有価媒体処理システムにおいては、前記記憶部および前記制御部のうち少なくともいずれか一方は前記管理装置に設けられていてもよい。
【００１９】
本発明の有価媒体処理方法は、補充可能な有価媒体の種類を記憶部に予め記憶させておく工程と、カセット装着部に装着された収納カセットから有価媒体を繰り出す工程と、前記収納カセットから繰り出された有価媒体の種類を判別する工程と、判別された有価媒体の種類が、前記記憶部に記憶されている補充可能な有価媒体の種類である場合に、当該有価媒体を収納部に送ることによって前記収納部に有価媒体を補充する工程と、判別された有価媒体の種類が、前記記憶部に記憶されている補充可能な有価媒体の種類ではない場合に、補充処理を途中で終了させる工程と、を備えたことを特徴とする。
【００２０】
このような有価媒体処理方法によれば、有価媒体の補充処理において、補充可能な種類ではない有価媒体がカセット装着部の収納カセットから繰り出されたときに補充処理を途中で終了させることにより効率良く補充処理を行うことができる。
【発明の効果】
【００２１】
本発明の有価媒体処理装置、有価媒体処理システムおよび有価媒体処理方法によれば、有価媒体の補充処理において、補充可能な種類ではない有価媒体がカセット装着部の収納カセットから繰り出されたときに補充処理を途中で終了させることにより効率良く補充処理を行うことができる。
【図面の簡単な説明】
【００２２】
【図１】本発明の実施の形態に係る有価媒体処理装置の内部構成を概略的に示す構成図である。
【図２】図１に示す有価媒体処理装置における制御系の構成を示す機能ブロック図である。
【図３】図１に示す有価媒体処理装置における有価媒体の補充処理の動作を示すフローチャートである。
【図４】（ａ）〜（ｇ）は、図１に示す有価媒体処理装置における有価媒体の補充処理の動作の他の例を示す説明図である。
【図５】図１に示す有価媒体処理装置と当該有価媒体処理装置の管理を行う管理装置とから構成される有価媒体処理システムを概略的に示す構成図である。
【図６】図１に示す有価媒体処理装置が設けられるショッピングセンターの内部構成を概略的に示す構成図である。
【図７】図１に示す有価媒体処理装置が設けられるコンビニエンスストアの内部構成を概略的に示す構成図である。
【発明を実施するための形態】
【００２３】
以下、図面を参照して本発明の実施の形態について説明する。図１乃至図３は、本実施の形態による有価媒体処理装置およびこのような有価媒体処理装置による有価媒体処理方法を示す図である。
【００２４】
図１等に示す有価媒体処理装置１０は、商業施設等において券売機や電子マネーチャージ機の内部に搭載されるものであり、紙幣や商品券等の有価媒体の入金処理や出金処理等の様々な処理を行うようになっている。図１は、このような有価媒体処理装置１０の内部構成を概略的に示す構成図である。ここで、図１における有価媒体処理装置１０の右側の面が当該有価媒体処理装置１０を正面側から見たときの前面となり、図１における左方向が有価媒体処理装置１０の奥行き方向となっている。
【００２５】
図１に示すように、有価媒体処理装置１０を正面側から見たときの前面には入金部１２および払出部１８がそれぞれ設けられている。ここで、顧客等の操作者が有価媒体処理装置１０に紙幣等の有価媒体を入金したい場合には、当該操作者は入金部１２に有価媒体をまとめて投入するようになっている。また、入金部１２には繰出機構１２ａが設けられており、入金部１２に投入された有価媒体は繰出機構１２ａにより１枚ずつ後述する搬送部１４に繰り出されるようになっている。また、図１に示すように、搬送部１４における入金部１２の近傍には入金識別部１３が設けられており、入金部１２から繰出機構１２ａにより搬送部１４に繰り出された有価媒体は入金識別部１３により識別されるようになっている。このような入金識別部１３は後述する識別部１６と略同一の機能を果たすようになっている。一方、有価媒体処理装置１０から紙幣等の有価媒体が出金される場合には、出金されるべき有価媒体が後述する搬送部１４により払出部１８に送られてこの払出部１８に集積されるようになっている。そして、出金されるべき有価媒体が全て払出部１８に集積されると、払出部１８から束状態の有価媒体が操作者側に（すなわち、図１における右方向に）飛び出すようになっている。このことにより、操作者は払出部１８から飛び出した束状態の有価媒体を取り出すことができるようになる。
【００２６】
また、図１に示すように、有価媒体処理装置１０の筐体の内部において入金部１２や払出部１８の下方にはリジェクト部２０および３つのカセット装着部２２、２４、２６が鉛直方向に沿って並ぶよう設けられている。リジェクト部２０は、有価媒体の出金処理において、後述する識別部１６による識別結果に基づいて有価媒体処理装置１０から払い出されるべきではないと判定された有価媒体が収納されるようになっている。なお、「識別部１６による識別結果に基づいて有価媒体処理装置１０から払い出されるべきではないと判定される」とは、搬送異常により識別不可の場合以外にも、出金対象の種類の紙幣や商品券ではない場合も有価媒体処理装置１０から払い出されるべきではないと判定されることをいう。また、リジェクト部２０に収納された有価媒体は、有価媒体処理装置１０の筐体の側面に設けられた扉（図示せず）を開くことによって取り出すことができるようになっている。また、このような扉は特定の権限を有する者（例えば、商業施設等の管理者）のみが開くことができるようになっている。また、各カセット装着部２２、２４、２６にはそれぞれ有価媒体を収納する収納カセット３０が着脱可能に装着されるようになっている。各カセット装着部２２、２４、２６に装着される収納カセット３０に収納されるべき有価媒体の種類の詳細については後述する。また、図１に示すように、有価媒体処理装置１０の筐体の内部には搬送部１４が設けられており、当該搬送部１４により入金部１２、払出部１８、リジェクト部２０、各カセット装着部２２、２４、２６に装着されている収納カセット３０の間で有価媒体が１枚ずつ搬送されるようになっている。また、搬送部１４には識別部１６が設けられており、この識別部１６は、当該識別部１６を通過する有価媒体をイメージセンサ等によって撮像することにより当該有価媒体の画像に基づいて有価媒体の識別を行うようになっている。具体的には、搬送部１４により搬送される有価媒体が例えば紙幣である場合には、識別部１６は当該紙幣の金種、真偽、正損、新旧、搬送状態等の識別を行うようになっている。また、搬送部１４により搬送される有価媒体が例えば商品券である場合には、識別部１６は当該商品券の発行元の会社名、商品券の種類、金額、搬送状態等の識別を行うようになっている。本実施の形態では、識別部１６は、搬送部１４により搬送される有価媒体の種類を判別する判別部として機能するようになっている。
【００２７】
各カセット装着部２２、２４、２６に着脱可能に装着される収納カセット３０には複数の有価媒体が積層状態で収納されるようになっている。なお、収納カセット３０に収納されている有価媒体を図１において参照符合Ｐで示す。ここで、収納カセット３０がカセット装着部２２、２４、２６に装着されているときに、搬送部１４から収納カセット３０に送られた有価媒体が当該収納カセット３０に収納されるようになっている。また、収納カセット３０には繰出機構３０ｍが設けられており、収納カセット３０がカセット装着部２２、２４、２６に装着されているときに、有価媒体処理装置１０の本体側から収納カセット３０の繰出機構３０ｍに動力が与えられることにより、当該繰出機構３０ｍによって収納カセット３０に収納されている有価媒体が１枚ずつ搬送部１４に繰り出されるようになっている。また、収納カセット３０には、当該収納カセット３０に収納されている有価媒体に関する情報等の様々な情報を記憶するＩＣタグ等の記憶媒体（図示せず）が設けられている。
【００２８】
また、収納カセット３０が着脱可能に装着されるカセット装着部２２、２４、２６には、ロック機構２２ａ、２４ａ、２６ａおよびリーダライタ２２ｂ、２４ｂ、２６ｂがそれぞれ設けられている（図２参照）。各ロック機構２２ａ、２４ａ、２６ａは、各カセット装着部２２、２４、２６に収納カセット３０が装着されているときに当該収納カセット３０がカセット装着部２２、２４、２６から外れないようロックするようになっている。また、このような各ロック機構２２ａ、２４ａ、２６ａによるロックが解除されると、商業施設の店員等の操作者はカセット装着部２２、２４、２６から収納カセット３０を取り出すことができるようになる。また、各リーダライタ２２ｂ、２４ｂ、２６ｂは、各カセット装着部２２、２４、２６に収納カセット３０が装着されているときに当該収納カセット３０に設けられた記憶媒体から情報を読み取ったり当該記憶媒体に情報を書き込んだりするようになっている。
【００２９】
また、本実施の形態では、カセット装着部２２に装着される収納カセット３０には概して一万円紙幣が収納されるようになっており、カセット装着部２４に装着される収納カセット３０には概して五千円紙幣が収納されるようになっており、カセット装着部２６に装着される収納カセット３０には概して千円紙幣が収納されるようになっている。そして、有価媒体処理装置１０における紙幣の入金処理において、操作者によって入金部１２に紙幣が投入された場合には、入金部１２の繰出機構１２ａにより搬送部１４に繰り出された紙幣が入金識別部１３によって識別された後に各カセット装着部２２、２４、２６に装着されている収納カセット３０に紙幣が金種毎に送られるようになっている。なお、紙幣の入金処理において、入金部１２の繰出機構１２ａにより搬送部１４に繰り出された紙幣が入金識別部１３によって識別される代わりに識別部１６により識別されるようになっていてもよい。また、有価媒体処理装置１０における釣銭としての紙幣の出金処理においては、各カセット装着部２４、２６に装着されている収納カセット３０から五千円紙幣や千円紙幣が搬送部１４に繰り出され、この繰り出された紙幣は識別部１６によって識別された後に払出部１８に送られるようになっている。また、有価媒体処理装置１０に収納されている紙幣を回収したり、有価媒体処理装置１０に紙幣を補充したりする際には、カセット装着部２２に装着されている収納カセット３０が当該カセット装着部２２から取り外されるようになっている。一方、各カセット装着部２４、２６に装着されている収納カセット３０は、当該収納カセット３０において紙幣の詰まり等の異常が発生しない限りは、各カセット装着部２４、２６から取り外されないようになっている。このような各種処理の詳細については後述する。
【００３０】
次に、このような有価媒体処理装置１０の制御系の構成について図２を用いて説明する。図２に示すように、有価媒体処理装置１０にはＣＰＵ（中央演算処理ユニット）等の制御部５０が設けられており、入金部１２（具体的には、繰出機構１２ａ）、入金識別部１３、搬送部１４、識別部１６、カセット装着部２２、２４、２６（具体的には、ロック機構２２ａ、２４ａ、２６ａやリーダライタ２２ｂ、２４ｂ、２６ｂ）等がそれぞれ当該制御部５０に接続されている。そして、入金識別部１３や識別部１６による有価媒体の識別結果や、各リーダライタ２２ｂ、２４ｂ、２６ｂにより収納カセット３０の記憶媒体から読み取られた情報が入金識別部１３、識別部１６、各リーダライタ２２ｂ、２４ｂ、２６ｂから制御部５０に送られるようになっている。また、制御部５０は、入金部１２、搬送部１４、カセット装着部２２、２４、２６等の各構成部材に指令信号を送ることによりこれらの構成部材の制御を行うようになっている。
【００３１】
また、図２に示すように、制御部５０には操作表示部５２、記憶部５４、通信部５６および切替手段５８がそれぞれ接続されている。操作表示部５２は例えば有価媒体処理装置１０の前面や上面に設けられたタッチパネルから構成されており、当該操作表示部５２は、各カセット装着部２２、２４、２６に装着されている収納カセット３０に収納されている有価媒体の枚数や合計金額等の様々な情報を表示するようになっている。また、操作者は操作表示部５２により制御部５０に対して様々な指令を入力することができるようになっている。また、記憶部５４には、各カセット装着部２２、２４、２６に装着されている収納カセット３０に収納されている有価媒体の枚数や合計金額等の様々な情報が記憶されるようになっている。
【００３２】
また、本実施の形態では、有価媒体処理装置１０に補充可能な有価媒体の種類が記憶部５４に記憶されるようになっている。具体的には、各カセット装着部２２、２４、２６に装着される収納カセット３０に一万円紙幣、五千円紙幣、千円紙幣がそれぞれ収納されるようになっている場合には、有価媒体処理装置１０に補充可能な有価媒体の種類として、五千円紙幣および千円紙幣の金種が記憶部５４に記憶されるようになる。すなわち、各カセット装着部２４、２６に装着される収納カセット３０に収納される有価媒体の種類（具体的には、紙幣の金種）が予め割り当てられており、記憶部５４に記憶されている補充可能な有価媒体の種類は、各カセット装着部２４、２６に装着される収納カセット３０に予め割り当てられている有価媒体の種類（具体的には、紙幣の金種）となる。なお、記憶部５４に記憶される補充可能な有価媒体の種類は、各カセット装着部２４、２６に装着される収納カセット３０に予め割り当てられている有価媒体の種類に限定されることはない。他の例として、操作者が操作表示部５２により補充可能な有価媒体の種類を設定することができるようになっていてもよい。この場合には、操作表示部５２により設定された、補充可能な有価媒体の種類が記憶部５４に記憶されるようになる。また、各カセット装着部２４、２６に装着される収納カセット３０がフル状態またはニアフル状態となり当該収納カセット３０に紙幣をこれ以上収納することができなくなった場合に、この収納カセット３０に対応する有価媒体の種類（具体的には、紙幣の金種）が、記憶部５４に記憶されている補充可能な有価媒体の種類から除外されるようになっていてもよい。この場合には、各カセット装着部２４、２６に装着される収納カセット３０から紙幣が回収されることにより当該収納カセット３０に紙幣を収納可能となった場合には、この収納カセット３０に対応する有価媒体の種類（具体的には、紙幣の金種）が補充可能な有価媒体の種類として記憶部５４に改めて記憶されるようになる。
【００３３】
また、制御部５０は通信部５６（具体的には、通信インターフェース）により外部装置に対して有線または無線により上位端末等の外部装置と様々な信号の送受信を行うようになっている。なお、別の例として、通信部５６が設けられておらず、有価媒体処理装置１０がスタンドアローンタイプのものとして用いられるようになっていてもよい。また、切替手段５８は、有価媒体の補充処理においてカセット装着部２２に装着された収納カセット３０から繰り出され識別部１６により識別された有価媒体の種類が、記憶部５４に記憶されている補充可能な有価媒体の種類ではない場合に、当該有価媒体の搬送先をカセット装着部２２に装着された収納カセット３０から別の箇所に切り替えるようになっている。このような切替手段５８の機能の詳細については後述する。
【００３４】
次に、このような有価媒体処理装置１０において有価媒体の入金処理、出金処理、回収処理、補充処理等の様々な処理が行われるときの動作について説明する。なお、以下に示すような動作は、制御部５０が有価媒体処理装置１０の各構成部材を制御することによって行われるようになっている。
【００３５】
まず、有価媒体処理装置１０における有価媒体の入金処理の動作について説明する。顧客等の操作者が入金部１２に有価媒体を投入すると、入金部１２に投入された有価媒体は繰出機構１２ａにより１枚ずつ搬送部１４に繰り出される。そして、搬送部１４に繰り出された有価媒体は当該搬送部１４により１枚ずつ搬送される。この際に、搬送部１４により搬送される有価媒体は入金識別部１３により識別される。ここで、入金識別部１３により識別された有価媒体が紙幣であり、かつこの紙幣が正常なものである場合には、当該紙幣は搬送部１４により各カセット装着部２２、２４、２６に装着されている収納カセット３０に金種毎に送られ、各収納カセット３０に収納される。一方、入金識別部１３により識別された有価媒体が紙幣であるが、この紙幣が偽券や損券等であったり搬送異常であったりすることにより正常なものではない場合には、当該紙幣は搬送部１４により払出部１８に送られ、この払出部１８に集積される。そして、払出部１８に集積された紙幣は当該払出部１８から操作者側に飛び出すことにより、操作者は払出部１８から飛び出した紙幣を入金部１２に再投入することができるようになる。また、制御部５０においてカセット装着部２２に装着されている収納カセット３０に一万円紙幣以外にも商品券を収納することが設定されているときには、入金識別部１３により識別された有価媒体が商品券である場合に当該商品券は搬送部１４によりカセット装着部２２に装着されている収納カセット３０に送られ、当該収納カセット３０に収納される。一方、制御部５０においてカセット装着部２２に装着されている収納カセット３０に商品券を収納することが設定されていないときには、入金識別部１３により識別された有価媒体が商品券である場合に当該商品券は搬送部１４により払出部１８に送られ、この払出部１８に集積される。払出部１８に集積された商品券は当該払出部１８から操作者側に飛び出すことにより、操作者は払出部１８から飛び出した商品券を取ることができるようになる。そして、入金部１２に投入された有価媒体が全て各カセット装着部２２、２４、２６に装着されている収納カセット３０等に収納されると、有価媒体の入金処理が完了する。
【００３６】
次に、有価媒体処理装置１０における有価媒体（具体的には、紙幣）の出金処理の動作について説明する。有価媒体処理装置１０から釣銭としての紙幣が出金される際に、出金されるべき五千円紙幣や千円紙幣が各カセット装着部２４、２６に装着されている収納カセット３０から搬送部１４に１枚ずつ繰り出される。そして、搬送部１４に繰り出された紙幣は当該搬送部１４により１枚ずつ搬送される。この際に、搬送部１４により搬送される紙幣は識別部１６により識別される。ここで、識別部１６により識別された紙幣が正常なものである場合には、当該紙幣は搬送部１４により払出部１８に送られ、この払出部１８に集積される。一方、識別部１６により紙幣の識別を行うことができなかったり、識別部１６により識別された紙幣が搬送異常であり正常なものではなかったりした場合には、当該紙幣は搬送部１４によりリジェクト部２０に送られ、このリジェクト部２０に集積される。そして、出金されるべき五千円紙幣や千円紙幣が全て払出部１８に集積されると、払出部１８から束状態の紙幣が操作者側に（すなわち、図１における右方向に）飛び出す。このことにより、操作者は払出部１８から飛び出した束状態の紙幣を取り出すことができるようになる。
【００３７】
次に、有価媒体処理装置１０における有価媒体（具体的には、紙幣）の回収処理の動作について説明する。商業施設の店員等の操作者が紙幣の回収処理を行う旨の指令を操作表示部５２により制御部５０に入力すると、各カセット装着部２４、２６に装着されている収納カセット３０から五千円紙幣や千円紙幣が搬送部１４に１枚ずつ繰り出される。そして、搬送部１４に繰り出された紙幣は当該搬送部１４により１枚ずつ搬送される。この際に、搬送部１４により搬送される紙幣は識別部１６により識別される。ここで、識別部１６により識別された紙幣が正常なものである場合には、当該紙幣は搬送部１４によりカセット装着部２２に装着されている収納カセット３０に送られ、この収納カセット３０に収納される。一方、識別部１６により識別された紙幣が搬送異常であり正常なものではない場合には、当該紙幣は搬送部１４によりリジェクト部２０に送られ、このリジェクト部２０に集積される。そして、各カセット装着部２４、２６に装着されている収納カセット３０からカセット装着部２２に装着されている収納カセット３０に紙幣が全て送られると、カセット装着部２２においてロック機構２２ａによる収納カセット３０のロックが解除される。このことにより、操作者は収納カセット３０をカセット装着部２２から取り出すことができるようになる。このようにして、操作者は紙幣を収納カセット３０ごと回収することができるようになる。
【００３８】
次に、有価媒体処理装置１０における有価媒体（具体的には、紙幣）の補充処理の動作について説明する。釣銭として用いられる五千円紙幣や千円紙幣を有価媒体処理装置１０に補充するにあたり、商業施設の店員等の操作者は予めカセット装着部２２から収納カセット３０を取り出しておき、補充されるべき紙幣をこの収納カセット３０に収納しておく。そして、操作者が紙幣の補充処理を行う旨の指令を操作表示部５２により制御部５０に入力した後、補充されるべき紙幣が収納されている収納カセット３０を操作者がカセット装着部２２に装着すると、カセット装着部２２に装着されている収納カセット３０から紙幣が搬送部１４に１枚ずつ繰り出される。そして、搬送部１４に繰り出された紙幣は当該搬送部１４により１枚ずつ搬送される。この際に、搬送部１４により搬送される紙幣は識別部１６により識別される。ここで、識別部１６により識別された紙幣が正常なものであり、かつ当該紙幣の金種が五千円または千円である場合には、当該紙幣は搬送部１４により各カセット装着部２４、２６に装着されている収納カセット３０に金種毎に送られ、各収納カセット３０に収納される。なお、識別部１６により識別された紙幣の金種が五千円または千円以外の金種であったり、識別部１６により商品券が識別されたりした場合については後述する。また、識別部１６により識別された紙幣が搬送異常であり正常なものではない場合には、当該紙幣は補充リジェクト紙幣として搬送部１４により払出部１８に送られ、この払出部１８に集積される。払出部１８に集積された紙幣は当該払出部１８から操作者側に飛び出すことにより、操作者は払出部１８から飛び出した紙幣を取ることができるようになる。そして、カセット装着部２２に装着されている収納カセット３０から各カセット装着部２４、２６に装着されている収納カセット３０に紙幣が全て送られると、紙幣の補充処理が完了する。なお、識別部１６により識別された紙幣が搬送異常であり正常なものではない場合に、当該紙幣が補充不可の紙幣としてみなされ、この紙幣が払出部１８に送られる代わりに元の収納カセット３０（すなわち、カセット装着部２２に装着されている収納カセット３０）に戻されるようになっていてもよい。この場合には、当該紙幣が元の収納カセット３０に戻された後、補充処理が途中で終了する。
【００３９】
本実施の形態では、上述した補充処理において、カセット装着部２２に装着された収納カセット３０から繰り出され、識別部１６による識別結果に基づいて判別された有価媒体の種類が、記憶部５４に記憶されている補充可能な有価媒体の種類（具体的には、五千円紙幣や千円紙幣）ではない場合に、補充処理を途中で終了させるようカセット装着部２２および搬送部１４が制御部５０により制御されるようになっている。また、識別部１６による識別結果に基づいて判別された有価媒体の種類が、記憶部５４に記憶されている補充可能な有価媒体の種類（具体的には、五千円紙幣や千円紙幣）ではない場合に、この有価媒体はカセット装着部２２に装着された収納カセット３０に戻されるようになっている。このような動作について図３に示すフローチャートを用いて説明する。
【００４０】
操作者が紙幣の補充処理を行う旨の指令を操作表示部５２により制御部５０に入力すると、操作表示部５２には「収納カセットをセットしてください」というメッセージが表示される。そして、補充されるべき紙幣が収納されている収納カセット３０を操作者がカセット装着部２２に装着すると、カセット装着部２２に装着された収納カセット３０から有価媒体が搬送部１４に１枚ずつ繰り出され（ＳＴＥＰ１）、この繰り出された有価媒体は搬送部１４により１枚ずつ搬送され、識別部１６により識別される（ＳＴＥＰ２）。そして、識別部１６により識別された有価媒体の種類が、記憶部５４に記憶されている補充可能な有価媒体の種類（具体的には、五千円紙幣や千円紙幣）である場合には（ＳＴＥＰ３の「ＹＥＳ」）、識別部１６により識別された有価媒体（具体的には、五千円紙幣や千円紙幣）は搬送部１４により各カセット装着部２４、２６に装着されている収納カセット３０に金種毎に送られる（ＳＴＥＰ４）。このような有価媒体の補充処理が行われている間、操作表示部５２には「補充処理中です」というメッセージが表示される。
【００４１】
一方、識別部１６により識別された有価媒体の種類が二千円紙幣、一万円紙幣、商品券等であり、記憶部５４に記憶されている補充可能な有価媒体の種類ではない場合には（ＳＴＥＰ３の「ＮＯ」）、識別部１６により識別された有価媒体は搬送部１４により元の収納カセット３０（すなわち、カセット装着部２２に装着されている収納カセット３０）に戻される（ＳＴＥＰ８）。また、この場合には有価媒体の補充処理が途中で終了する（ＳＴＥＰ９）。このような現象は、有価媒体（具体的には、紙幣）の回収処理が行われる際にカセット装着部２２から取り出された収納カセット３０を操作者が補充処理用の収納カセット３０と勘違いしてしまい、有価媒体の補充処理において一万円紙幣等が収納されている収納カセット３０をカセット装着部２２に装着してしまったときに生じてしまう。具体的に説明すると、有価媒体の回収処理が行われる際にカセット装着部２２から取り出された収納カセット３０に下から順に例えば一万円紙幣２０枚、五千円紙幣１０枚および千円紙幣３０枚が収納されていたときに、この収納カセット３０が誤って補充処理用の収納カセット３０としてカセット装着部２２に再装着されてしまったときには、最初に千円紙幣が当該収納カセット３０から繰り出されてカセット装着部２６に装着されている収納カセット３０に収納され、次に五千円紙幣が収納カセット３０から繰り出されてカセット装着部２４に装着されている収納カセット３０に収納される。その後、１枚目の一万円紙幣が収納カセット３０から繰り出されて識別部１６により識別されたときに、識別部１６により識別された有価媒体の種類が記憶部５４に記憶されている補充可能な有価媒体の種類ではないと判定されることにより、カセット装着部２２に装着された収納カセット３０からの紙幣の補充処理が途中で終了する。また、収納カセット３０から繰り出され識別部１６により識別された一万円紙幣は元の収納カセット３０（すなわち、カセット装着部２２に装着されている収納カセット３０）に戻されるようになる。なお、カセット装着部２２に装着されている収納カセット３０から搬送部１４に繰り出された有価媒体を識別部１６により識別することができなかったり、識別部１６により識別された有価媒体の種類が、記憶部５４に記憶されている補充可能な有価媒体の種類ではなかったりした場合に（ＳＴＥＰ３の「ＮＯ」）、この有価媒体が搬送部１４により元の収納カセット３０（すなわち、カセット装着部２２に装着されている収納カセット３０）に戻された後（ＳＴＥＰ８）、有価媒体が再び元の収納カセット３０から搬送部１４に繰り出されて識別部１６により識別されるようなリトライ動作が行われるようになっていてもよい。また、このようなリトライ動作を行うか否かを操作者が操作表示部５２により設定することができるようになっていてもよい。また、リトライ動作を行うことを設定した場合に、リトライ動作を何回行うかを操作者が操作表示部５２等により設定することができるようになっていてもよい。
【００４２】
また、カセット装着部２２に装着された収納カセット３０から全ての有価媒体（具体的には、五千円紙幣および千円紙幣）がカセット装着部２４、２６に装着された収納カセット３０に補充された場合には（ＳＴＥＰ５の「ＹＥＳ」）、有価媒体の補充処理が完了する（ＳＴＥＰ６）。この場合には、カセット装着部２２に装着された収納カセット３０は空状態となり、当該収納カセット３０は、搬送部１４から送られた有価媒体（具体的には、例えば一万円紙幣等）を収納するとともに収納されている有価媒体を搬送部１４に繰出可能な収納繰出部として機能するようになる（ＳＴＥＰ７）。なお、他の例として、有価媒体の補充処理が完了すると、カセット装着部２２に設けられたロック機構２２ａによる収納カセット３０のロックが自動的に解除され、当該収納カセット３０が有価媒体処理装置１０の筐体の前面から手前側に自動的に飛び出すようになっていてもよい。
【００４３】
また、本実施の形態では、有価媒体の補充処理が途中で終了すると、補充処理が完了していない旨の情報が操作表示部５２に表示されるようになっている（ＳＴＥＰ１０）。具体的には、操作表示部５２には「補充処理が完了していません」「補充処理用のカセットではありません」「カセットに誤った金種の紙幣が含まれていました」「カセットに一万円紙幣や二千円紙幣が入っています」「回収処理を行う際に用いられたカセットにて補充処理を行おうとした可能性があります」等のメッセージが表示される。このことにより、操作者は誤った収納カセット３０をカセット装着部２２に装着してしまったことに気づくことができるようになる。このように、本実施の形態では、操作表示部５２は、補充処理が途中で終了したときに所定の情報の報知を操作者に対して行う報知部として機能するようになる。なお、補充処理が完了していない旨の情報を操作者に報知する方法は、操作表示部５２にメッセージを表示する方法に限定されることはない。他の例として、有価媒体処理装置１０の前面において各カセット装着部２２、２４、２６の近傍にそれぞれＬＥＤランプを設けておき、有価媒体の補充処理が行われる際に当該補充処理が正常に行われた場合（ＳＴＥＰ６）と補充処理が途中で終了した場合（ＳＴＥＰ９）とでカセット装着部２２に対応するＬＥＤランプの発光の態様を異ならせるようにしてもよい。例えば、有価媒体の補充処理が行われる際に当該補充処理が正常に行われた場合にはカセット装着部２２に対応するＬＥＤランプが点灯するのに対し補充処理が途中で終了した場合には当該ＬＥＤランプが点滅するようになっていてもよい。また、補充処理が完了していない旨の情報を操作者に報知する更に他の方法として、音声メッセージや警報音が発せられることにより操作者に対して聴覚的に報知が行われるようになっていてもよい。また、有価媒体の補充処理が途中で終了すると、補充処理が完了していないことを操作者に確認させるため、補充処理が完了していない旨の情報が操作表示部５２に表示されるとともに「確認」ボタンが操作表示部５２に表示されるようになっていてもよい。そして、操作表示部５２に表示される「確認」ボタンが押下されると、補充処理が完了していないことを操作者が確認したと制御部５０により判定されるようになる。
【００４４】
なお、本実施の形態では、有価媒体の補充処理において、カセット装着部２２に装着された収納カセット３０から繰り出され、識別部１６により識別された有価媒体の種類が、記憶部５４に記憶されている補充可能な有価媒体の種類ではないと判定される回数が所定の回数（例えば、５回）に達するまでは、有価媒体の補充処理を途中で終了させないようにしてもよい。この場合には、カセット装着部２２に装着された収納カセット３０から例えば１万円紙幣が繰り出され、当該１万円紙幣が識別部１６により識別されたときに、４枚目までの１万円紙幣については払出部１８に送られるようになり、有価媒体の補充処理が途中で終了することなく次の紙幣がカセット装着部２２に装着された収納カセット３０から繰り出されるようになる。この場合には、補充処理用の収納カセット３０に誤って１枚や２枚の一万円紙幣が混入していたときでも、補充処理を最後まで行うことができるようになる。
【００４５】
また、本実施の形態では、カセット装着部２２に装着された収納カセット３０から繰り出され、識別部１６により識別された有価媒体の種類が、記憶部５４に記憶されている補充可能な有価媒体の種類ではない場合（ＳＴＥＰ３の「ＮＯ」）における当該有価媒体の搬送先が、切替手段５８によって元の収納カセット３０（すなわち、カセット装着部２２に装着されている収納カセット３０）から別の箇所に切り替えられるようになっていてもよい。ここで、切替手段５８により切り替えられる有価媒体の搬送先は、例えば払出部１８となる。また、有価媒体処理装置１０において入金されるべき有価媒体を一時的に保留する一時保留部（具体的には、入金一時保留部）が設けられている場合には、切替手段５８により切り替えられる有価媒体の搬送先が一時保留部であってもよい。この場合でも、各カセット装着部２４、２６に装着されている収納カセット３０には、補充対象である有価媒体（具体的には、五千円紙幣や千円紙幣）のみを収納させることができるようになる。
【００４６】
また、本実施の形態では、制御部５０は、補充処理において、カセット装着部２２に装着された収納カセット３０から繰り出され、識別部１６により識別された有価媒体の種類が、記憶部５４に記憶されている補充可能な有価媒体の種類ではない場合に、各カセット装着部２４、２６に装着されている収納カセット３０に補充された有価媒体（具体的には、五千円紙幣や千円紙幣）を元の収納カセット３０（すなわち、カセット装着部２２に装着されている収納カセット３０）に戻すようになっていてもよい。この場合には、補充処理において各カセット装着部２４、２６に装着されている収納カセット３０に一部の五千円紙幣や千円紙幣が既に補充されていた場合でも、補充処理が途中で終了するとこの補充されていた五千円紙幣や千円紙幣がカセット装着部２２に装着されている収納カセット３０に戻されるようになる。すなわち、誤ってカセット装着部２２に装着された収納カセット３０に、補充可能な金種の紙幣（例えば、千円紙幣）が混入されていた場合に、当該紙幣が各カセット装着部２４、２６に装着されている収納カセット３０に一旦補充されていても、当該紙幣をカセット装着部２２に装着された収納カセット３０に戻すことができるようになる。なお、各カセット装着部２４、２６に装着されている収納カセット３０に補充された有価媒体を元の収納カセット３０（すなわち、カセット装着部２２に装着されている収納カセット３０）に戻すタイミングは、補充可能な有価媒体の種類ではないと判別された有価媒体が元の収納カセット３０に戻される前でも後でもどちらでもよい。ここで、各カセット装着部２４、２６に装着されている収納カセット３０に補充された有価媒体を元の収納カセット３０に戻した後に、補充可能な有価媒体の種類ではないと判別された有価媒体を元の収納カセット３０に戻すようにした場合には、補充可能な有価媒体の種類ではないと判別された有価媒体を一時的に保留するための一時保留部を設ける必要がある。
【００４７】
また、変形例として、補充処理において、カセット装着部２２に装着された収納カセット３０から繰り出され、識別部１６により識別された有価媒体の種類が、記憶部５４に記憶されている補充可能な有価媒体の種類ではない場合に、各カセット装着部２４、２６に装着されている収納カセット３０に補充された有価媒体を元の収納カセット３０に戻すか否かを操作者が操作表示部５２により選択することができるようになっていてもよい。具体的には、カセット装着部２２に装着された収納カセット３０から繰り出され、識別部１６により識別された有価媒体の種類が、記憶部５４に記憶されている補充可能な有価媒体の種類ではない場合に、操作表示部５２には、各カセット装着部２４、２６に装着されている収納カセット３０に既に補充された有価媒体（具体的には、五千円紙幣や千円紙幣）の枚数が表示されるとともに補充された有価媒体を元の収納カセット３０に戻すか否かを操作者に選択させる画面が表示されるようになる。この場合には、操作者は、各カセット装着部２４、２６に装着されている収納カセット３０に既に補充された有価媒体の枚数を見ながら、補充された有価媒体を元の収納カセット３０に戻すか否かを操作表示部５２により選択するようになる。
【００４８】
また、更に別の例として、制御部５０は、補充処理において、カセット装着部２２に装着された収納カセット３０から繰り出され、識別部１６により識別された有価媒体の種類が、記憶部５４に記憶されている補充可能な有価媒体の種類ではない場合に、補充処理を途中で終了した後に、各カセット装着部２４、２６に装着されている収納カセット３０に収納されている有価媒体（具体的には、五千円紙幣や千円紙幣）を全てカセット装着部２２に装着された収納カセット３０に送るようになっていてもよい。この場合には、補充処理が途中で終了した場合に、各カセット装着部２４、２６に装着されている収納カセット３０に収納されている有価媒体の回収処理を行うことができるようになる。
【００４９】
以上のような構成からなる本実施の形態の有価媒体処理装置１０やこのような有価媒体処理装置１０による有価媒体処理方法によれば、カセット装着部２２に装着された収納カセット３０から各カセット装着部２４、２６に装着されている収納カセット３０（このような各カセット装着部２４、２６に装着されている収納カセット３０を「収納部」ともいう）に有価媒体を補充する補充処理において、カセット装着部２２に装着された収納カセット３０から繰り出され識別部１６による識別結果に基づいて判別された有価媒体の種類が、記憶部５４に記憶されている補充可能な有価媒体の種類ではない場合に、補充処理が途中で終了するようになっている。このように、有価媒体の補充処理において、補充可能な種類ではない有価媒体がカセット装着部２２の収納カセット３０から繰り出されたときに補充処理を途中で終了させることにより効率良く補充処理を行うことができるようになる。
【００５０】
より詳細に説明すると、従来技術の有価媒体処理装置（具体的には、例えば紙幣処理装置）では、有価媒体の補充処理において、補充されるべき有価媒体が収納されている収納カセットがカセット装着部に取り付けられて当該収納カセットから有価媒体が繰り出されたときに、収納カセットから繰り出された有価媒体の種類が補充可能な有価媒体の種類ではないと判定されると当該有価媒体はリジェクト部に送られ、このリジェクト部に収納されるようになっていた。そして、補充可能な有価媒体の種類ではないと判定された有価媒体がリジェクト部に収納されると、次の有価媒体が収納カセットから繰り出されて補充処理が引き続き行われるようになっていた。しかしながら、このような有価媒体処理装置では、補充処理が一旦開始されると、カセット装着部に装着された収納カセット内の有価媒体全てが当該収納カセットから繰り出されて他の収納カセットやリジェクト部に収納されるまでは補充処理が完了しない。このため、例えば収納カセットを用いて有価媒体処理装置から有価媒体（具体的には、例えば高額紙幣）の回収処理を行った後に、当該有価媒体処理装置に別の有価媒体（具体的には、例えば低額紙幣）を補充するにあたり誤って回収処理で用いた収納カセットをカセット装着部に装着したときには、回収処理で用いた収納カセットに収納されている有価媒体（高額紙幣）を有価媒体処理装置に補充する必要はないのに補充処理が終了しないため時間がかかってしまい、効率が悪いという問題があった。これに対し、本実施の形態では、カセット装着部２２に装着された収納カセット３０から補充可能な種類ではない有価媒体が繰り出されたときに補充処理を途中で終了させるため、従来の有価媒体処理装置で生じる上記の問題を解決することができるようになる。
【００５１】
また、カセット装着部２２に装着された収納カセット３０から繰り出された補充可能な種類ではない有価媒体が元の収納カセット３０に戻されるようにした場合には、商業施設の店員等の操作者がこのような有価媒体に触れることがないため、このような有価媒体が払出部１８に送られる場合と比較してセキュリティ性を向上させることができるようになる。
【００５２】
また、本実施の形態による有価媒体処理装置１０では、図４（ａ）〜（ｇ）に示す有価媒体（具体的には、五千円紙幣や千円紙幣）の補充処理の動作が行われるようになっていてもよい。具体的には、釣銭として用いられる五千円紙幣や千円紙幣を有価媒体処理装置１０に補充するにあたり、商業施設の店員等の操作者は予めカセット装着部２２から収納カセット３０を取り出しておき、補充されるべき紙幣をこの収納カセット３０に収納しておく。そして、操作者が紙幣の補充処理を行う旨の指令を操作表示部５２により制御部５０に入力した後、図４（ａ）に示すように補充されるべき紙幣が収納されている収納カセット３０を操作者がカセット装着部２２に装着すると、まず、カセット装着部２４に装着されている収納カセット３０から五千円紙幣が搬送部１４に１枚ずつ繰り出され、この繰り出された五千円紙幣はカセット装着部２６に装着されている収納カセット３０に送られる（図４（ｂ））。このことにより、カセット装着部２６に装着されている収納カセット３０には、千円紙幣の上に五千円紙幣が集積されるようになる。一方、カセット装着部２４に装着されている収納カセット３０は空状態となる。
【００５３】
次に、図４（ｃ）に示すように、カセット装着部２２に装着された収納カセット３０から紙幣が搬送部１４に１枚ずつ繰り出される。そして、搬送部１４に繰り出された紙幣は当該搬送部１４により１枚ずつ搬送される。この際に、搬送部１４により搬送される紙幣は識別部１６により識別される。ここで、識別部１６により識別された紙幣が正常なものであり、かつ当該紙幣の金種が五千円または千円である場合には、当該紙幣は搬送部１４によりカセット装着部２６に装着されている収納カセット３０に送られ、この収納カセット３０に収納される。また、識別部１６により識別された紙幣の金種が五千円または千円以外の金種であったり、識別部１６により商品券が識別されたりした場合や、識別部１６により識別された紙幣が搬送異常であり正常なものではない場合には、当該紙幣は搬送部１４によりカセット装着部２４に装着されている収納カセット３０に送られ、この収納カセット３０に収納される。なお、識別部１６により識別された紙幣の金種が五千円または千円以外の金種であったり、識別部１６により商品券が識別されたりした場合や、識別部１６により識別された紙幣が搬送異常であり正常なものではない場合には、上述したように有価媒体の補充処理が途中で終了し、この有価媒体は元の収納カセット３０（すなわち、カセット装着部２２に装着されている収納カセット３０）に戻されてもよい。また、この場合には、後述する図４（ｄ）に示す動作（すなわち、カセット装着部２４に装着されている収納カセット３０からカセット装着部２２に装着されている収納カセット３０に紙幣を全て戻す動作）が不要となり、後述する図４（ｅ）以降に示す動作が引き続き行われるようになる。
【００５４】
そして、カセット装着部２２に装着されている収納カセット３０から紙幣が全て繰り出され、各カセット装着部２４、２６に装着されている収納カセット３０に送られると、図４（ｄ）に示すように、カセット装着部２４に装着されている収納カセット３０からカセット装着部２２に装着されている収納カセット３０に紙幣（具体的には、識別部１６による識別結果に基づいて正常ではないと判別された補充リジェクト紙幣）が全て戻される。このことにより、カセット装着部２４に装着されている収納カセット３０は空状態となる。その後、カセット装着部２６に装着されている収納カセット３０に収納されている紙幣の精査処理が行われる。より詳細に説明すると、図４（ｅ）に示すように、カセット装着部２６に装着されている収納カセット３０から紙幣（具体的には、五千円紙幣または千円紙幣）が搬送部１４に繰り出され、この繰り出された紙幣は識別部１６により識別される。ここで、識別部１６により識別された紙幣が正常な千円紙幣である場合には、当該紙幣は搬送部１４によりカセット装着部２２に装着されている収納カセット３０に送られる。このことにより、カセット装着部２２に装着されている収納カセット３０には、補充リジェクト紙幣の上に正常な千円紙幣が積み重なった状態で収納されるようになる。また、識別部１６により識別された紙幣が正常な五千円紙幣である場合には、当該紙幣は搬送部１４によりカセット装着部２４に装着されている収納カセット３０に送られる。また、識別部１６により識別された紙幣が搬送異常であり正常なものではない場合には、当該紙幣は精査リジェクト紙幣として搬送部１４によりリジェクト部２０に送られ、このリジェクト部２０に収納される。
【００５５】
そして、カセット装着部２６に装着されている収納カセット３０から紙幣が全て繰り出され、この収納カセット３０が空状態になると、図４（ｆ）に示すように、カセット装着部２２に装着されている収納カセット３０から正常な千円紙幣（より詳細には、図４（ｅ）に示す処理においてカセット装着部２６に装着されている収納カセット３０からカセット装着部２２に装着されている収納カセット３０に送られた千円紙幣）が搬送部１４に繰り出され、この千円紙幣は識別部１６により識別された後に搬送部１４によりカセット装着部２６に装着されている収納カセット３０に送られる。なお、カセット装着部２２に装着されている収納カセット３０から繰り出された千円紙幣が識別部１６により識別されたときに搬送異常であり正常ではないと判定された場合には、当該千円紙幣はカセット装着部２２に装着されている収納カセット３０に一旦戻された後、この収納カセット３０から搬送部１４に再び繰り出され、識別部１６により再識別されるようになる。そして、カセット装着部２２に装着されている収納カセット３０から正常な千円紙幣が全て搬送部１４に繰り出されてカセット装着部２６に装着されている収納カセット３０に収納されると、カセット装着部２２においてロック機構２２ａによる収納カセット３０のロックが解除され、当該収納カセット３０は有価媒体処理装置１０の前面から手前側に飛び出るようになる（図４（ｇ）参照）。このことにより、操作者はカセット装着部２２から収納カセット３０を取り出すことができるようになる。なお、このような収納カセット３０には補充リジェクト紙幣が収納されているため、操作者は補充リジェクト紙幣を収納カセット３０ごと回収することができるようになる。このようにして紙幣の補充処理および精査処理が完了する。また、カセット装着部２２に装着されている収納カセット３０に補充リジェクト紙幣が収納されていない場合には、図４（ｆ）に示すようにカセット装着部２２に装着されている収納カセット３０から正常な千円紙幣が全て搬送部１４に繰り出されてカセット装着部２６に装着されている収納カセット３０に収納されても、カセット装着部２２においてロック機構２２ａによる収納カセット３０のロックが解除されない。この場合には、カセット装着部２２に装着されている収納カセット３０を、搬送部１４から送られた一万円紙幣を収納するとともに収納されている一万円紙幣を搬送部１４に繰出可能な収納繰出部として機能させることができるようになる。
【００５６】
上述した紙幣の補充処理の方法によれば、カセット装着部２２に装着された収納カセット３０から搬送部１４に繰り出された紙幣が識別部１６による識別の失敗、搬送異常等により正常な紙幣ではない場合に、このような補充リジェクト紙幣が払出部１８に送られることがなく、元の収納カセット３０に戻されるようになっているため、操作者に補充リジェクト紙幣を触らせないようにすることができる。このことにより、セキュリティ性を向上させることができる。また、このような紙幣の補充処理の方法によれば、有価媒体処理装置１０に既に収納されている五千円紙幣や千円紙幣の精査処理も行うことができるようになるため、有価媒体処理装置１０に収納されている五千円紙幣や千円紙幣の在高をより精度良く管理することができるようになる。
【００５７】
なお、本発明に係る有価媒体処理装置や有価媒体処理方法は、上述したような態様に限定されることはなく、様々な変更を加えることができる。
【００５８】
例えば、図５に示すように、上述した有価媒体処理装置１０と、当該有価媒体処理装置１０とは別に設けられ、この有価媒体処理装置１０の管理を行う上位端末等の管理装置６０とから有価媒体処理システム１が構成されるようになっていてもよい。このような有価媒体処理システム１では、有価媒体処理装置１０および管理装置６０は無線または有線のＬＡＮ７０により互いに通信可能に接続されるようになる。また、管理装置６０には制御部６２および記憶部６４が設けられており、当該制御部６２から有価媒体処理装置１０にＬＡＮ７０を介して指令信号が送られることにより有価媒体処理装置１０の各構成部材が制御されるようになっている。また、有価媒体処理装置１０に収納されている有価媒体の在高等の情報が当該有価媒体処理装置１０からＬＡＮ７０を介して管理装置６０に送信されることにより、このような有価媒体処理装置１０に収納されている有価媒体の在高等の情報が記憶部６４に記憶されるようになる。
【００５９】
また、図５に示すような有価媒体処理システム１では、有価媒体処理装置１０に補充可能な有価媒体の種類が管理装置６０の記憶部６４に記憶されるようになっていてもよい。具体的には、有価媒体処理装置１０の各カセット装着部２４、２６に装着される収納カセット３０に収納される有価媒体の種類（具体的には、紙幣の金種）が予め割り当てられている場合には、管理装置６０の記憶部６４に記憶される補充可能な有価媒体の種類は、各カセット装着部２４、２６に装着される収納カセット３０に予め割り当てられている有価媒体の種類（具体的には、紙幣の金種）となる。また、管理装置６０の制御部６２は、有価媒体処理装置１０における有価媒体の補充処理において、当該有価媒体処理装置１０のカセット装着部２２に装着された収納カセット３０から繰り出され識別部１６により識別された有価媒体の種類が、記憶部６４に記憶されている補充可能な有価媒体の種類ではない場合に、補充処理を途中で終了させるよう有価媒体処理装置１０の各構成部材を制御するようになる。なお、上記の説明では、補充可能な有価媒体の種類を記憶する記憶部およびカセット装着部２２に装着された収納カセット３０から繰り出された有価媒体の種類が記憶部に記憶されている補充可能な有価媒体の種類ではない場合に補充処理を途中で終了させるよう有価媒体処理装置１０の各構成部材の制御を行う制御部がそれぞれ管理装置６０側に設けられるような態様について述べたが、このような例に限定されることはない。補充可能な有価媒体の種類を記憶する記憶部、およびカセット装着部２２に装着された収納カセット３０から繰り出された有価媒体の種類が記憶部に記憶されている補充可能な有価媒体の種類ではない場合に補充処理を途中で終了させるよう有価媒体処理装置１０の各構成部材の制御を行う制御部のうちいずれか一方のみが管理装置６０側に設けられ、他方が有価媒体処理装置１０側に設けられるようになっていてもよい。
【００６０】
また、上述した有価媒体処理装置１０が搭載されるのは商業施設等に設けられる券売機や電子マネーチャージ機に限定されることはない。このような技術的事項について図６および図７を用いて説明する。
【００６１】
図６は、図１に示す有価媒体処理装置１０が設置されるショッピングセンター１００の内部構成を概略的に示す構成図である。図６に示すように、ショッピングセンター１００は、顧客が立ち入ることができるフロント領域１０２および顧客が立ち入ることができない事務室等のバックヤード領域１０４に区分けされており、フロント領域１０２には商品が陳列される商品棚が設置されるとともに商品の精算を行うためのレジカウンターが設けられている。そして、レジカウンターには、商品の売上金としての貨幣を入金するとともに釣銭としての貨幣を出金する釣銭機１１２が設置されている。なお、レジカウンターに設置される釣銭機１１２は概ねショッピングセンター１００の店員により操作されるようになっているが、他の例として、顧客が商品の精算および商品の代金としての貨幣の入金の両方を行うようなセルフレジや、店員が商品の精算を行うが顧客が商品の代金としての貨幣の入金を行うようなセミセルフレジに釣銭機１１２が設置されるようになっていてもよい。これらの場合には顧客により釣銭機１１２が操作されるようになる。
【００６２】
また、フロント領域１０２にはＡＴＭ１１０（現金自動預け払い機）、自動販売機１１４、券売機１１６、電子マネーチャージ機１１８等が任意で設置されるようになっている。また、バックヤード領域１０４には、釣銭機１１２から回収された売上金としての貨幣を入金したり、釣銭用として釣銭機１１２に補充されるべき貨幣（釣銭準備金）を出金したりする出納機１２０が設置されている。上記の説明では、本実施の形態による有価媒体処理装置１０が券売機１１６や電子マネーチャージ機１１８に搭載されるような態様について述べたが、このような態様に限定されることはない。本実施の形態による有価媒体処理装置１０がＡＴＭ１１０、釣銭機１１２、自動販売機１１４、出納機１２０等に搭載されるようになっていてもよい。また、本実施の形態による有価媒体処理装置１０が釣銭機１１２および出納機１２０の両方に搭載される場合には、収納カセット３０により釣銭機１１２および出納機１２０の間で紙幣の受け渡しを行うことができるようになる。この場合には、店員等の操作者が紙幣に手を触れることなく釣銭機１１２および出納機１２０の間で紙幣の受け渡しを行うことができるため、セキュリティ性を高めることができるようになる。
【００６３】
また、このようなショッピングセンター１００において、本実施の形態による有価媒体処理装置１０が釣銭機１１２、自動販売機１１４、券売機１１６、電子マネーチャージ機１１８等に搭載されている場合に、上位端末からこれらの釣銭機１１２、自動販売機１１４、券売機１１６、電子マネーチャージ機１１８等に紙幣の回収処理の指令が与えられると、回収されるべき紙幣を全て有価媒体処理装置１０のカセット装着部２２に装着されている収納カセット３０に送るような回収処理が自動で行われるようになっていてもよい。この場合には、店員等の操作者は釣銭機１１２、自動販売機１１４、券売機１１６、電子マネーチャージ機１１８等から収納カセット３０を取り出すだけで紙幣を収納カセット３０ごと回収することができるようになるため回収処理にかかる時間を短縮することができるようになる。
【００６４】
図７は、図１に示す有価媒体処理装置１０が設置されるコンビニエンスストア２００の内部構成を概略的に示す構成図である。図７に示すように、コンビニエンスストア２００には、顧客が立ち入ることができるフロント領域２０２が設けられているが、出納機が設置されるバックヤード領域は概ね設けられていない。また、フロント領域２０２にはレジカウンターが設けられるとともに、当該レジカウンターには、商品の売上金としての貨幣を入金するとともに釣銭としての貨幣を出金する釣銭機２１２が設置されている。また、フロント領域２０２にはＡＴＭ２１０（現金自動預け払い機）、自動販売機２１４、券売機２１６、電子マネーチャージ機２１８等が任意で設置されるようになっている。そして、このようなコンビニエンスストア２００では、本実施の形態による有価媒体処理装置１０が券売機２１６や電子マネーチャージ機２１８に搭載される代わりに、あるいは有価媒体処理装置１０が券売機２１６や電子マネーチャージ機２１８に搭載されることに加えて、有価媒体処理装置１０がＡＴＭ２１０、釣銭機２１２、自動販売機２１４等に搭載されるようになっていてもよい。
【００６５】
また、図１乃至図３に示す有価媒体処理装置１０では、複数のカセット装着部２２、２４、２６が設けられるとともに各カセット装着部２２、２４、２６に収納カセット３０がそれぞれ着脱可能に装着されるようになっているが、このような態様に限定されることはない。他の例として、各カセット装着部２４、２６の代わりに、搬送部１４から送られた紙幣を収納するとともに収納されている紙幣を１枚ずつ搬送部１４に繰出可能な収納繰出部が例えば紙幣の金種毎に設けられるようになっていてもよい。このような場合には、有価媒体処理装置に設けられるカセット装着部の数は１つとなり、このカセット装着部に着脱可能に装着される１つの収納カセットによって有価媒体の回収処理や補充処理が行われるようになる。
【００６６】
また、上記の説明では本発明に係る有価媒体処理装置が紙幣および商品券等を含む有価媒体を処理する場合について述べたが、このような例に限定されることはない。別の例として、本発明に係る有価媒体処理装置として、例えば、紙幣のみの処理を行う紙幣処理装置が用いられてもよい。
【００６７】
また、本発明に係る有価媒体処理装置において、有価媒体として硬貨の処理を行うものが用いられてもよい。具体的には、有価媒体として硬貨の処理を行う有価媒体処理装置では、硬貨を収納する収納カセットが着脱可能に装着されるカセット装着部が設けられるようになり、このような収納カセットがカセット装着部に装着されたときに当該収納カセットに収納されている硬貨が有価媒体処理装置の本体側に繰出可能となる。また、このような有価媒体処理装置では、カセット装着部に装着された収納カセットから本体側の硬貨収納部に硬貨を補充する補充処理において、カセット装着部に装着された収納カセットから繰り出され判別部により判別された硬貨の種類（具体的には、硬貨の金種）が、記憶部に記憶されている補充可能な硬貨の種類ではない場合に、補充処理を途中で終了させるよう搬送部の制御が行われるようになる。また、この場合には、カセット装着部に装着された収納カセットから繰り出された補充可能な種類ではない硬貨が元の収納カセットに戻されるようにしてもよい。
【符号の説明】
【００６８】
１      有価媒体処理システム
１０    有価媒体処理装置
１２    入金部
１２ａ  繰出機構
１３    入金識別部
１４    搬送部
１６    識別部
１８    払出部
２０    リジェクト部
２２、２４、２６  カセット装着部
２２ａ、２４ａ、２６ａ  ロック機構
２２ｂ、２４ｂ、２６ｂ  リーダライタ
３０    収納カセット
３０ｍ  繰出機構
５０    制御部
５２    操作表示部
５４    記憶部
５６    通信部
５８    切替手段
６０    管理装置
６２    制御部
６４    記憶部
１００  ショッピングセンター
１０２  フロント領域
１０４  バックヤード領域
１１２  釣銭機
１１４  自動販売機
１１６  券売機
１１８  電子マネーチャージ機
１２０  出納機
２００  コンビニエンスストア
２０２  フロント領域
２１２  釣銭機
２１４  自動販売機
２１６  券売機
２１８  電子マネーチャージ機
【図１】
2019003559.tif 000003
【図２】
2019003559.tif 000004
【図３】
2019003559.tif 000005
【図４】
2019003559.tif 000006
【図５】
2019003559.tif 000007
【図６】
2019003559.tif 000008
【図７】
2019003559.tif 000009